(57)【要約】【課題】２回目以降の排泄による体液であっても、迅速に拡散させて吸収することができ、吸収性物品に圧力がかかった状態で体液が排泄された場合にも、体液の漏れを生じにくい吸収性物品を提供すること。【解決手段】液透過性のトップシートと、液不透過性のバックシートと、トップシート及びバックシートの間に配置された吸収体と、を有する吸収性物品であって、前記吸収体は、少なくとも２層の層状吸収体からなり、前記吸収体は、吸収体の幅方向略中心部において、長手方向に延在する中央スリットを有し、前記層状吸収体のうち、トップシート側の最上層に位置する層状吸収体においてのみ、前記中央スリットの両脇に、前記中央スリットと略平行に配置された一対のサイドスリットが形成されている、座位着用のための吸収性物品。【選択図】図１
2020199344.tif 000002
【特許請求の範囲】
【請求項１】
液透過性のトップシートと、液不透過性のバックシートと、トップシート及びバックシートの間に配置された吸収体と、を有する座位着用のための吸収性物品であって、
前記吸収体は、少なくとも２層の層状吸収体からなり、
前記吸収体は、吸収体の幅方向略中心部において、長手方向に延在する中央スリットを有し、前記層状吸収体のうち、トップシート側の最上層に位置する層状吸収体においてのみ、前記中央スリットの両脇に、前記中央スリットと略平行に配置された一対のサイドスリットが形成されている、座位着用のための吸収性物品。
【請求項２】
前記中央スリットの長手方向の寸法が、前記サイドスリットの長手方向の寸法よりも大きい、請求項１に記載の座位着用のための吸収性物品。
【請求項３】
前記中央スリットの幅方向の寸法が２０ｍｍ以上３５ｍｍ以下であり、前記サイドスリットの幅方向の寸法が１０ｍｍ以上２０ｍｍ以下である、請求項１又は２に記載の座位着用のための吸収性物品。
【請求項４】
前記吸収体が、３層以上の層状吸収体からなる、請求項１から３のいずれかに記載の座位着用のための吸収性物品。
【発明の詳細な説明】
【技術分野】
【０００１】
本発明は、排泄された体液の吸収性が改善された吸収性物品に関する。
【背景技術】
【０００２】
一般的に吸収性物品には、テープ止めタイプ紙おむつ、軽失禁パッド、尿取りパッド、パンツタイプ紙おむつ等が知られており、これらの吸収性物品は着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ここで、吸収性物品においては、着用者への装着感の向上や排泄物の漏れ防止のため、従来、様々な工夫がなされていた。例えば、特許文献１には、吸収体の幅方向略中心部に、長手方向に延在する中央スリット、中央スリットの両端に、長手方向に延在するサイドスリットが形成され、中央スリット及びサイドスリットの形成位置において吸収体が屈曲できるようになっている吸収性物品が開示されている。また、特許文献２には、長手方向に延在する一対のサイドスリットと、この一対のサイドスリットの間で、ウエスト域まで延びる屈曲案内スリットとしての中央スリットを有する吸収体を備えた吸収性物品が開示されている。これらの吸収性物品においては、吸収体に３本のスリットを形成することにより、着用時にスリットの周辺が屈曲し、屈曲により形成される凸部が排泄口と密着して、屈曲により形成される凹部に排泄物が保持され、排泄物と着用者の肌との接触を回避することができるものとされている。
【先行技術文献】
【特許文献】
【０００４】
【特許文献１】特開２０１４−０１４７２６号公報
【特許文献２】特開２００６−３４６４３９号公報
【発明の概要】
【発明が解決しようとする課題】
【０００５】
ところで、一般に、吸収性物品において、吸収体を構成する高吸収性ポリマーが体液を吸収して膨潤した場合、膨潤した高吸収性ポリマーが、体液の吸収体内での拡散経路を塞いでしまうため、体液の吸収速度が低下する問題があった。このような問題は、破砕タイプの高吸収性ポリマーを用いた場合と比較して、パールタイプの高吸収性ポリマーを用いた場合に顕在化する傾向にあった。そして、このように体液の吸収速度が低下した場合、２回目以降の排泄により排泄される体液を迅速に吸収できず、体液の漏れにつながるおそれがあった。特に、臥位で着用されている場合に比較して、吸収性物品に圧力がかかる座位での着用の場合には、体液を一度吸収した後に体液の拡散性が低下した吸収性物品において２回目以降の排泄による体液の吸収をする場合、体液の漏れが生じやすい。これに加えて、車椅子使用時等の動きに伴う排泄位置のずれが生じたり、動きに伴う圧力が生じたりする場合には、より体液の漏れが生じやすくなっていた。
【０００６】
したがって、本発明は以上の課題に鑑みてなされたものであり、２回目以降の排泄による体液であっても、迅速に拡散させて吸収することができ、吸収性物品に圧力がかかった状態で体液が排泄された場合にも、体液の漏れを生じにくい吸収性物品を提供することを目的とする。
【課題を解決するための手段】
【０００７】
本発明の発明者らは、上記課題に鑑み、鋭意研究を行った。その結果、吸収体を、少なくとも２層の層状吸収体からなるものとするとともに、吸収体が、長手方向に延在する中央スリットを設け、層状吸収体のうち、トップシート側の最上層に位置する層状吸収体においてのみ、中央スリットの両脇に一対のサイドスリットを設けることにより、上記課題を解決できることを見出し、本発明を完成するに至った。具体的には、本発明は以下のものを提供する。
【０００８】
（１）本発明の第１の態様は、液透過性のトップシートと、液不透過性のバックシートと、トップシート及びバックシートの間に配置された吸収体と、を有する吸収性物品であって、前記吸収体は、少なくとも２層の層状吸収体からなり、前記吸収体は、吸収体の幅方向略中心部において、長手方向に延在する中央スリットを有し、前記層状吸収体のうち、トップシート側の最上層に位置する層状吸収体においてのみ、前記中央スリットの両脇に、前記中央スリットと略平行に配置された一対のサイドスリットが形成されている、吸収性物品である。
【０００９】
（２）本発明の第２の態様は、（１）に記載の吸収性物品であって、前記中央スリットの長手方向の寸法が、前記サイドスリットの長手方向の寸法よりも大きいことを特徴とするものである。
【００１０】
（３）本発明の第３の態様は、（１）又は（２）に記載の吸収性物品であって、前記中央スリットの幅方向の寸法が２０ｍｍ以上３５ｍｍ以下であり、前記サイドスリットの幅方向の寸法が１０ｍｍ以上２０ｍｍ以下であることを特徴とするものである。
【００１１】
（４）本発明の第４の態様は、（１）から（３）のいずれかに記載の吸収性物品であって、前記吸収体が、３層以上の層状吸収体からなることを特徴とするものである。
【発明の効果】
【００１２】
本発明の吸収性物品は、吸収体が、少なくとも２層の層状吸収体からなり、幅方向略中心部において、長手方向に延在する中央スリットを有するとともに、トップシート側の最上層に位置する層状吸収体が、中央スリットの両脇に、中央スリットと略平行に配置されたサイドスリットを有する。このため、１回目の排泄による体液の吸収により、吸収体中の高吸収性ポリマーが膨潤した場合においても、吸収体に形成された中央スリットや、トップシート側の最上層に位置する層状吸収体に形成されたサイドスリットを介して、体液が吸収体の内部にまで拡散・浸透するので、２回目以降の排泄においても、体液の漏れを効果的に防止することができるとともに、サイドスリットがトップシート側の最上層に位置する層状吸収体のみに形成されているので、吸収性物品に圧力がかかった状態で体液が排泄された場合にも、体液の漏れを効果的に防止することができる。
【図面の簡単な説明】
【００１３】
【図１】本発明の吸収性物品の平面図である。
【図２】図１におけるＢ−Ｂ断面図を示す図面である。
【図３】繰り返し吸収速度の評価のための試験装置を示す図面である。
【図４】荷重下での漏れ評価のための試験装置を示す図面であって、（ａ）平面模式図、（ｂ）斜視図、（ｃ）側面図である。
【図５】繰り返し吸収速度評価の結果を示すグラフである。
【発明を実施するための形態】
【００１４】
以下、本発明について図面を参照して詳細に説明する。
【００１５】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよい。
【００１６】
図１は、本発明の吸収性物品１の平面図であり、図２は、図１におけるＢ−Ｂ断面図を示す図面である。吸収性物品１は、身体側表面に配された液透過性のトップシート２１と、トップシート２１に対向して配置された液不透過性のバックシート２２と、トップシート２１とバックシート２２との間に配置された吸収体２３と、を備えている。
【００１７】
また、吸収性物品１には、使用者の排泄した体液の横漏れを防止するため、吸収性物品１の長手方向に沿って、トップシート２１上に、立体ギャザー用弾性部材２６ａを有する一対の立体ギャザー２６を備えていてもよい。吸収性物品１の幅方向における立体ギャザー２６の外端は、バックシート２２に固定され、その内端はトップシート２１に固着され、その中央はトップシート２１に固定されない自由端となるように、立体ギャザーシート２６ｂが配される。立体ギャザー用弾性部材２６ａを長手方向に沿って設けることで、立体ギャザー２６が起立性を有し、着用者の体型に合わせて変形可能なものとなる。立体ギャザー用弾性部材２６ａとしては、例えば、ポリウレタン糸、帯状のポリウレタンフィルム、糸状又は帯状の天然ゴム等が使用され、立体ギャザーシート２６ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００１８】
［トップシート］
トップシート２１は、体液が吸収体へと移動するような液透過性を備えた基材から形成すればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１の坪量は、１８ｇ／ｍ２以上４０ｇ／ｍ２以下であることが好ましい。トップシート２１の形状としては特に制限はないが、漏れがないように体液を吸収体２３へと誘導するために必要とされる、吸収体２３を覆う形状であればよい。
【００１９】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２０】
強度及び加工性の点から、バックシート２２の坪量は、１５ｇ／ｍ２以上４０ｇ／ｍ２以下であることが好ましい。また、装着時の蒸れを防止するため、バックシート２２には、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００２１】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ（例えば、サウザンパインやダグラスファー等のＢ−ＢＫＰ）、合成繊維、ポリマー繊維、非木材パルプ等を綿状に解繊したものを挙げることができる。吸収体２３の吸収性繊維は、吸収性能及び肌触りを損なわないよう、吸収体２３全体で、１５０ｇ／ｍ２以上３５０ｇ／ｍ２以下の坪量とすることが好ましい。
【００２２】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、吸収体２３全体で、１５０ｇ／ｍ２以上２５０ｇ／ｍ２以下の坪量とすることが好ましく、１５質量％以上５０質量％以下の含有量とすることが好ましい。
【００２３】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。吸収体２３全体の坪量は、４００ｇ／ｍ２以上５００ｇ／ｍ２以下であることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２４】
（層状吸収体）
本発明の吸収性物品１において、吸収体２３は、少なくとも２層の層状吸収体からなる。ここで、吸収体２３は、上層吸収体、中間層吸収体、及び下層吸収体の３層以上の層状吸収体からなるものであってもよいが、以下の説明においては、簡略化のため、吸収体２３が、図２に示すような上層吸収体２３１及び下層吸収体２３２の、２層の層状吸収体からなるものとして、吸収体２３及び各層状吸収体の構成を説明するものとする。
【００２５】
（中央スリット）
図１及び図２に示すように、吸収体２３には、その幅方向略中心部において、長手方向に延在する中央スリット２４を有している。換言すれば、中央スリット２４は、上層吸収体２３１及び下層吸収体２３２の全てを一体とした吸収体２３に設けられており、上層吸収体２３１の中央スリット２４の位置と、下層吸収体２３２の中央スリット２４の位置とは、略一致するものとなっている。このような中央スリット２４を設けることにより、吸収体２３に到達した体液が、中央スリット２４に保持され、中央スリット２４の輪郭を構成する上層吸収体２３１及び下層吸収体２３２の壁面から、吸収体２３内部に向けて体液が拡散することとなる。これにより、吸収体２３中の高吸収性ポリマーが、体液を既に吸収して膨潤した状態にあっても、中央スリット２４を介して体液が拡散可能となるので、体液の迅速な拡散が担保され、体液の漏れを防止することができる。
【００２６】
（サイドスリット）
図２に示すように、本発明の吸収性物品１には、層状吸収体のうち、トップシート２１側の最上層に位置する層状吸収体である上層吸収体２３１においてのみ、中央スリット２４の両脇に、中央スリット２４と略平行に配置された一対のサイドスリット２５が形成されている。つまり、一対のサイドスリット２５は、上層吸収体２３１には形成されているものの、下層吸収体２３２には形成されておらず、上層吸収体２３１及び下層吸収体２３２の間に、層状吸収体が更に設けられる場合においては、当該層状吸収体にも形成されないものである。このような構成を採用することにより、上層吸収体２３１と下層吸収体２３２とを積層した状態において、上層吸収体２３１におけるサイドスリット２５の輪郭を構成する上層吸収体２３１の壁面と、下層吸収体２３２のトップシート２１側の上面とによる凹みが形成され、この凹みに保持された体液は、上層吸収体２３１と下層吸収体２３２とに迅速に拡散されることとなる。サイドスリット２５が上層吸収体２３１のみに形成されていることにより、特に、吸収性物品１に圧力がかかった状態で、体液が排泄されたときにおいても、体液の漏れを効果的に防止することができる。
【００２７】
本発明においては、吸収体２３に形成される中央スリット２４の長手方向の寸法は、上層吸収体２３１に形成されるサイドスリット２５の長手方向の寸法よりも大きいことが好ましい。このような構成を採用することにより、体液が排泄される吸収体２３の中央部に位置する中央スリット２４において、より多くの体液を保持することができる。吸収体２３に形成される中央スリット２４の長手方向の寸法は、１４５ｍｍ以上３１５ｍｍ以下であることが好ましく、上層吸収体２３１に形成されるサイドスリット２５の長手方向の寸法は、９５ｍｍ以上２００ｍｍ以下であることが好ましい。中央スリット２４及びサイドスリット２５の長手方向の寸法を上記の範囲内のものとすることにより、体液の吸収速度を効果的に向上させつつ、中央スリット２４及びサイドスリット２５が過剰量の体液を保持することによる体液の漏れ等も効果的に防止することができる。
【００２８】
吸収体２３に形成される中央スリット２４の幅方向の寸法は、上層吸収体２３１に形成されるサイドスリット２５の幅方向の寸法よりも大きいことが好ましい。このような構成を採用することにより、体液が排泄される吸収体２３の中央部に位置する中央スリット２４において、より多くの体液を保持することができる。吸収体２３に形成される中央スリット２４の幅方向の寸法は、２０ｍｍ以上３５ｍｍ以下であることが好ましく、上層吸収体２３１に形成されるサイドスリット２５の幅方向の寸法は、１０ｍｍ以上２０ｍｍ以下であることが好ましい。中央スリット２４及びサイドスリット２５の幅方向の寸法を上記の範囲内のものとすることにより、体液の吸収速度を効果的に向上させつつ、中央スリット２４及びサイドスリット２５が過剰量の体液を保持することによる体液の漏れ等も効果的に防止することができる。
【００２９】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２６をホットメルト系接着剤で固定・一体化する工程、（Ｃ）トップシート２１、立体ギャザー２６、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において吸収性物品１の吸収体２３を成形する際には、中央スリット２４及びサイドスリット２５が設けられた上層吸収体２３１、並びに中央スリット２４が設けられ、サイドスリット２５が設けられていない下層吸収体２３２を含む、層状吸収体を積層して、中央スリット２４及びサイドスリット２５を有する吸収体２３を形成すればよい。
【実施例】
【００３０】
以下、本発明について、実施例を挙げて詳細に説明する。なお、本発明は、以下に示す実施例に何ら限定されるものではない。
【００３１】
＜実施例１＞
（吸収性物品の作製）
パルプシートを粉砕して解繊したフラッフパルプ２０ｇと、高吸収性ポリマー８ｇとをともに積繊した吸収体マットを準備し、長さ４００ｍｍ、幅２００ｍｍにカットして、中央スリットとサイドスリットとを表１に示すように設けた上層吸収体を用意した。同様に、フラッフパルプ１０ｇと、高吸収性ポリマー５ｇとをともに積繊した吸収体マットを準備し、長さ４００ｍｍ、幅１００ｍｍにカットして、中央スリットのみを有する下層吸収体を用意した。これらの上層吸収体及び下層吸収体を積層させた吸収体を用いて、長さ５００ｍｍ、幅３００ｍｍの尿取りパッドを作製し、実施例１のサンプルとした。なお、中央スリットは長さ２００ｍｍ、幅２０ｍｍ、サイドスリットは長さ１２０ｍｍ、幅１５ｍｍで、トップシートとしては、エアスルー不織布（坪量２０ｇ／ｍ２）を用い、バックシートとしては、通気性ポリエチレンフィルム（坪量３５ｇ／ｍ２）を用いた。得られた尿取りパッドの繰り返し吸収速度、荷重下での漏れ評価、及び車椅子使用者による装着時のべたつき官能評価を以下に従って実施した。得られた結果を表１及び表２に示す。
【００３２】
＜比較例１から３＞
下層吸収体に中央スリットを形成しなかった点（比較例１）、吸収体に中央スリット及びサイドスリットを形成しなかった点（比較例２）、並びに下層吸収体にサイドスリットを形成して、吸収体の全体に中央スリットとサイドスリットとを設けた点（比較例３）以外は、実施例１と同様にして吸収性物品を作製し、各評価項目について評価を行った。
【００３３】
［繰り返し吸収速度］
図３に示すように、尿取りパッドを水平な平滑面に広げた状態で固定し、尿取りパッド上にアクリル板を載せ、３０ｇ／ｃｍ２の圧力をかけた状態で、内径３０ｍｍの筒より１回あたり１５０ｍＬの生理食塩水を注水し、液面が尿取りパッドへ吸収されるまでの時間を計測した。次いで３分放置した後、１５０ｍＬの生理食塩水を再び注水し、同様に時間を測定した。これを５回繰り返した。結果を表１及び図５に示す。
【００３４】
［荷重下での漏れ評価］
図４に示すように、尿取りパッドを水平な平滑面に広げた状態で固定し、尿取りパッド上にアクリル板を載せ、２０度傾斜させた。２０ｋｇのおもりによりアクリル板に局部的に最大１５０ｇ／ｃｍ２の圧力をかけた状態で、アクリル板に接続された内径３０ｍｍの筒より、尿取りパッドの幅方向中心部より３０ｍｍずらした位置へ、１回あたり１５０ｍＬの生理食塩水を注水した。その後、５分間隔で注水を繰り返し、各回で漏れが発生した尿取りパッドの枚数を記録するとともに、漏れが発生するまでの注入回数の平均値を算出した。結果を表２に示す。
【００３５】
［車椅子使用者による装着時のべたつき官能評価］
日常生活において車椅子を使用する８人のパネラーの協力の下、尿取りパッドの装着時のべたつき官能評価を行った。中央スリット及びサイドスリットを設けた尿取りパッドを装着後、生理食塩水１５０ｍＬを３回、５分の間隔を置いてチューブから排尿口付近に注入し、注入完了後１時間を過ごした後でべたつき官能評価を行った。以下の基準で、各尿取りパッドをランク付けした。結果を表３に示す。
○    ８人中、６人以上８人以下がべたつきがないと回答
△    ８人中、３人以上５人以下がべたつきがないと回答
×    ８人中、１人又は２人がべたつきがないと回答するか、べたつきがないと回答した人がいない
【００３６】
【表１】
2020199344.tif 000003
【表２】
2020199344.tif 000004
【表３】
2020199344.tif 000005
【００３７】
表１から分かるように、上層吸収体及び下層吸収体を貫通する中央スリットと、上層吸収体を貫通するサイドスリットとを設けることにより、生理食塩水を繰り返し注水した場合においても、生理食塩水の吸収速度の低下を抑制することができた。このような効果は、上層吸収体にのみ中央スリット及びサイドスリットを設けた場合や、中央スリット及びサイドスリットを設けなかった場合には観察されなかった。また、表２から分かるように、上層吸収体及び下層吸収体を貫通する中央スリットに加えて、上層吸収体のみを貫通するサイドスリットを設けることにより、下層吸収体に中央スリットを設けない場合、中央スリット及びサイドスリットを設けない場合、並びに上層吸収体及び下層吸収体を貫通するサイドスリットを設けた場合のいずれの場合と比較しても、生理食塩水の漏れが効果的に防止された。
【００３８】
さらに、表３から分かるように、中央スリットを上層吸収体及び下層吸収体に、サイドスリットを上層吸収体のみに設けた尿取りパッドは、車椅子使用時に生理食塩水を繰り返し注水した場合においても、べたつき感を感じさせにくいものであった。
【符号の説明】
【００３９】
１        吸収性物品
２１      トップシート
２２      バックシート
２３      吸収体
２３１    上層吸収体
２３２    下層吸収体
２４      中央スリット
２５      サイドスリット
２６      立体ギャザー
２６ａ    立体ギャザー用弾性部材
２６ｂ    立体ギャザーシート
Ｙ        長手方向
Ｘ        幅方向
【図１】
2020199344.tif 000006
【図２】
2020199344.tif 000007
【図３】
2020199344.tif 000008
【図４】
2020199344.tif 000009
【図５】
2020199344.tif 000010